(57)【要約】【課題】  従来技術に比べて容易に達成及び操作することができる押しボタンを有する時計ケースを提供する。【解決手段】  腕時計の機能を操作するための少なくとも１つの押しボタン（４）を有し、時計ケース（１）が文字盤（１１）の所定の位置に対して平行に水平面を設定し、上面が文字盤（１１）の方向を設定する、腕時計用の時計ケース（１）において、押しボタン（４）が、水平面に対して角度をもって斜め上に向かって整向されており、時計ケース（１）に、押しボタン（４）への圧力を時計ケース（１）内にあるムーブメント（７）の方向に変換するためのメカニズムが備えられていることによる。【選択図】        図１
0003132691.tif 000002
【実用新案登録請求の範囲】
【請求項１】
腕時計の機能を操作するための少なくとも１つの押しボタン（４）を有し、時計ケース（１）が文字盤（１１）の所定の位置に対して平行に水平面を設定し、上面が文字盤（１１）の方向を設定する、腕時計用の時計ケース（１）において、
押しボタン（４）が、水平面に対して角度をもって斜め上に向かって整向されていることを特徴とする時計ケース。
【請求項２】
時計ケース（１）内に、押しボタン（４）への圧力を時計ケース（１）内にあるムーブメント（７）の方向に変換するためのメカニズムを有することを特徴とする請求項１に記載の時計ケース。
【請求項３】
押しボタン（４）への圧力を時計ケース（１）内にあるムーブメント（７）の方向に変換するための時計ケース（１）内のメカニズムが、回転可能に支承された伝達要素（６）から成り、この伝達要素に、押しボタン（４）のピン（５）が作用することを特徴とする請求項２に記載の時計ケース。
【請求項４】
ピン（５）が、時計ケース（１）内の開口（１５）によって把持され、ピン（５）の周りにスリーブ（８）が配設されていることを特徴とする請求項３に記載の時計ケース。
【請求項５】
スリーブ（８）の外面に段が付けられており、開口（１５）が、これに対応する段を備えることを特徴とする請求項４に記載の時計ケース。
【請求項６】
伝達要素（６）が、水平な軸（６０）を中心として旋回可能に支承されていることを特徴とする請求項３〜５のいずれか１つに記載の時計ケース。
【請求項７】
伝達要素（６）が、静止位置でピン（５）に対して垂直でない、ピン（５）との接触面（６１）を備えることを特徴とする請求項３〜６のいずれか１つに記載の時計ケース。
【請求項８】
伝達要素（６）が、ムーブメント（７）のプッシャ（７０）との湾曲した接触面（６２）を備えることを特徴とする請求項３〜７のいずれか１つに記載の時計ケース。
【請求項９】
時計ケース（１）内にムーブメント（７）が取り付けられており、メカニズムをリセットするための少なくとも１つのバネ（７０）がムーブメント（７）内に設けられていることを特徴とする請求項２〜８のいずれか１つに記載の時計ケース。
【請求項１０】
時計ケース（１）内にムーブメント（７）が取り付けられており、メカニズムが時計ケース（１）とムーブメント（７）の間に配設されていることを特徴とする請求項２〜９のいずれか１つに記載の時計ケース。
【請求項１１】
時計ケース（１）内で、ムーブメント（７）が時計ケース（１）内のケースリング（１６）によって保持され、メカニズムがケースリング（１６）に取り付けられていることを特徴とする請求項１０に記載の時計ケース。
【請求項１２】
押しボタン（４）のピン（５）の周りに少なくとも１つのシール（４１，４２）が配設されていることを特徴とする請求項２〜１１のいずれか１つに記載の時計ケース。
【請求項１３】
押しボタン（４）をリセットするために押しボタン（４）のヘッドに作用する少なくとも１つのバネ（４０）が設けられていることを特徴とする請求項１〜１２のいずれか１つに記載の時計ケース。
【請求項１４】
押しボタン（４）が、時計ケース（１）内の開口（１５）内に配設されていることを特徴とする請求項１〜１３のいずれか１つに記載の時計ケース。
【請求項１５】
開口（１５）が、押しボタン（４）のヘッドが係合する段を備えることを特徴とする請求項１４に記載の時計ケース。
【請求項１６】
押しボタン（４）のヘッドを開口（１５）内に安定させるための手段が設けられていることを特徴とする請求項１４又は１５に記載の時計ケース。
【考案の詳細な説明】
【技術分野】
【０００１】
本考案は、請求項１の上位概念によるその表面に押しボタンが存在する時計ケースに関する。
【背景技術】
【０００２】
従来技術では、その表面に押しボタンが存在し、押しボタンの圧力をムーブメントに更に伝導するためのメカニズムが付属する時計ケースの多数の実施形が公知である。
【０００３】
特許文献１には、その表面に押しボタンが存在するケースを有する時計が開示されている。押しボタンは、ケースの横に配設され、時計ケースに対して傾斜していない。時計ケースには、押しボタンを収容する窪みが設けられている。ケース内で、押しボタンは、力をバイパスさせるレバーに作用し、これにより、レバーが、設けられているムーブメントに半径方向に作用する。この場合、押しボタンとムーブメントの間に設けられているレバーは、時計ケースを垂直に通る垂直な軸を中心として回転する。
【０００４】
同様の構成が特許文献２に開示されており、この場合、押しボタンは、少なくとも部分的にムーブメントの周りに固定されている金属のディスクに作用する。
【０００５】
特許文献３には、外縁部に上から操作可能な押しボタンを備えるケースを有する時計が開示されている。ユーザが押しボタンを操作した時に押しボタンに作用する垂直な力は、内部のメカニズムによって、ムーブメントに作用する水平な力に方向転換される。力の方向転換をする種々のメカニズムが開示されている。
【０００６】
特許文献４には、特殊なスナップ機能を備える押しボタンを有する時計ケースが開示されている。
【０００７】
上記の文献から公知のように、外縁部に配設された押しボタンへの到達性は、ユーザが操作時に必ず腕と指を接触させなければならないので、始めから困難である。
【０００８】
特許文献５もしくは特許文献６には、押しボタンが斜めに配設された時計ケースが開示されている。押しボタンは、ユーザによって加えられる力を垂直な力の方向に変換するためのメカニズムと結合されている。不利なことに、押しボタンは、下に向かって、即ちユーザの腕に向かって配設されている。従って、到達性は、前記文献に対して更に悪くなり、ユーザの腕は、このような押しボタンの簡単な操作を妨害する。
【特許文献１】米国特許第６，２４７，８４１号明細書
【特許文献２】スイス国特許第２１１，１４３号明細書
【特許文献３】米国特許第４，３９６，２９６号明細書
【特許文献４】米国特許第２００１／００５０８８４号明細書
【特許文献５】英国特許第１  ０３５  ０００号明細書
【特許文献６】スイス国特許第４１５  ４７４号明細書
【考案の開示】
【考案が解決しようとする課題】
【０００９】
本考案の課題は、前記欠点を回避し、従来技術に比べて容易に達成及び操作することができる押しボタンを有する時計ケースを提供することにある。
本考案の更なる課題は、斜め上から押しボタンに作用する圧力をムーブメントの方向の水平運動に変換するメカニズムを提供することにある。
【課題を解決するための手段】
【００１０】
本考案によれば、これらの課題は、請求項１の上位概念による時計ケースにおいて、押しボタンが、水平面に対して角度をもって斜め上に向かって整向されていることによって解決される。
【００１１】
有利なことに、時計ケース内に、押しボタンへの圧力を時計ケース内にあるムーブメントへの水平な方向に変換するためのメカニズムが存在する。このメカニズムは、回転可能に支承された伝達要素から成り、この伝達要素に、押しボタンのピンが作用する。この場合、伝達要素は、水平な軸を中心として旋回可能に支承されている。
【００１２】
有利なことに、伝達要素は、２つの接触面を、即ち、静止位置でピンに対しして垂直でない、ピンとの接触面と、ムーブメントのプッシャとの湾曲した接触面とを備える。
【００１３】
リセット要素として、押しボタン及びムーブメント内にバネが設けられており、これらのバネが、押しボタンのヘッド及びメカニズムをリセットする。
【００１４】
別の有利な実施形は、下位の請求項に記載されている。
【考案を実施するための最良の形態】
【００１５】
本考案を、添付図を基にして詳細に説明する。
【００１６】
図１は、本考案による時計ケース１を有する腕時計の図を示す。腕時計は、時計ガラス１０と、文字盤１１と、ベゼル１３と、時計ケースに配設された竜頭１２とを備える。竜頭１２は、帯体３に、即ち時計ケース１の横の部分に存在する。竜頭１２は、例えば時計のネジを巻いたり、時間を合わせたりするために使用される。竜頭１２の隣には、本考案によれば付加的に２つの押しボタン４が存在し、これら押しボタンは、時計ケース１の帯体３又は帯体とベゼル１３の間に配設されており、文字盤１１の方向に対して角度をもって斜め上に向かって整向されている。この場合、時計ケース１は、文字盤１１及び／又はムーブメントの底板の所定の位置に対して平行に水平面を構成する。図示した押しボタン４の数は、模範的に選択されており、計画した押しボタン４を制御する機能に依存して可変に選択される。図示した実施例では、押しボタン４の一方がクロノメータの始動及び停止をするために使用されるのに対し、他方は、クロノメータのリセット機能を制御する。押しボタン４の形状も可変であり、図１では、縦長のボタンが図示されているが、円形又は多角形であっても、他の形状を有していてもよい。
【００１７】
図１に図示されているように、押しボタン４は、時計ケース１の斜面に配設されている。本考案の枠内では、付加的に、竜頭１２を斜め上に向かって配設することも考えられる。回転機能以外に、この竜頭１２は、押込み機能も有する。
【００１８】
腕時計のベルトは、図１に図示されていないが、時計ケース１にはベルトを固定するための２つのベルト接続部が設けられており、その内の一方だけを見ることができる。
【００１９】
図２〜４は、押しボタン４が時計ケース１の開口１５内に配設され、時計ケース１内に、圧力が水平方向にムーブメントに作用するように押しボタン４への圧力を時計ケース１内にあるムーブメント７の方向に変換するためのメカニズムを有する本考案による時計ケース１の断面図を示す。メカニズムが時計ケース１とムーブメント７の間に配設されていることが分かる。時計ケース１は、取外し可能なキャップ２によって下から閉鎖されている。開口１５は、上部に拡大部を備え、この拡大部に押しボタン４の頭部が入る。押しボタン４は、各図に、押込みの異なった段階を図示されており、図２が押込まれていない位置もしくは推しボタン４の静止位置を示し、図４が押しボタン４の押込まれた位置を示す。図３は、これら両方の位置の間の中間の位置を示す。
【００２０】
押しボタン４から時計ケース１内にあるムーブメント７へと圧力を変換するための時計ケース１内のメカニズムは、旋回可能に支承された伝達要素６から成り、この伝達要素に押しボタン４のピン５が作用する。ピン５は、開口１５内に存在するスリーブ８内に支承されている。ピン５は、伝達要素６の接触面６１に作用する下の接触面５２を備える。接触面６１は、静止位置でピン５に対して垂直ではなく斜めに配設されている。図２〜４にはっきりと見ることができるように、ピン５は、押込み工程中接触面６１に沿って運動し、このようにして伝達要素６のこの部分を下に向かって押す。
【００２１】
押しボタン４が斜めに配設されていることによって、スリーブ８は、これまでに押しボタンにおいて知られているよりも長く形成されている。スリーブ８は、その外面に１つ又は２つの段を有する段部を備えており、これが、スリーブの安定性にプラスに作用する。開口１５は、この場合、その内面に対応する段部を備える。開口１５とスリーブ８の間で、例えば押しボタンの頭部のための開口１５の拡大部が存在する箇所に、付加的なシールが配設されていてもよい。
【００２２】
ムーブメント７は、ケースリング１６とバネ７２により時計ケース１内に保持され、この場合、前記メカニズムはケースリング１６に取り付けられている。図２〜４で、ケースリング１６は、断面でしか見ることができない。この場合、伝達要素６を旋回可能に支承する（各図には図示されていない）要素がケースリング１６に固定されていること、又は伝達要素６が直接ケースリングに旋回可能に支承されていることが考えられる。従って、伝達要素６は、水平な軸６０を中心として支承されている。
【００２３】
伝達要素６の他方の側には、湾曲した接触面６２が設けられている。押込み工程中、この接触面６２は、下から上に向かって、即ちキャップ２から文字盤１１の方向に運動し、このようにしてムーブメント７のプッシャ７０に作用する。プッシャ７０をリセットするため、ムーブメント７内には、伝達要素６を図２の静止位置にリセットするための少なくとも１つの（各図には図示されてない）バネが設けられている。伝達要素６は、特に金属から成り、可能であれば合成物質から成る。
【００２４】
図５は、本考案による押しボタン４の詳細な断面図を示す。ピン５は、押しボタン４の頭部にねじ込まれている。このため、接触面５２を同時に構成する下端部にねじ込みスリット５１が配設されており、このねじ込みスリットにドライバを係合させることができる。図５に同様に図示されたスリーブ８とピン５の間を取り巻くように、２つのシール４１，４２が配設されている。付加的にバネ４０が設けられており、このバネは、押しボタン４をリセットするために、押しボタン４の頭部に作用する。これらの部分（シール４１，４２、バネ４０等）の数は模範的に選択されており、変更することができる。押しボタン４は、特に金属から成り、スリーブ８と共に予組立て品にされ、これにより、単に後からケースに取り付けることができる。押しボタン４の頭部は、ピン５の隣に付加的に開口４３を備え、これら開口には、開口１５内に設けられている、対応するピンが係合する。押しボタン４は、このようにして運動を安定化され、有利なことに、一方を押すことによる引っ掛かりが防止される。押しボタン４の頭部を開口１５内で安定させるための他の手段が設けられてもよい。
【図面の簡単な説明】
【００２５】
【図１】本考案による時計ケースと角度をもって斜め上に向かって配設された押しボタンとを有する時計の図を示す。
【図２】押しボタンの押込み工程を異なった段階で図示する、押しボタンがケース内に配設された本考案による時計ケースの断面図を示す。
【図３】押しボタンの押込み工程を異なった段階で図示する、押しボタンがケース内に配設された本考案による時計ケースの断面図を示す。
【図４】押しボタンの押込み工程を異なった段階で図示する、押しボタンがケース内に配設された本考案による時計ケースの断面図を示す。
【図５】本考案による押しボタンの断面図を示す。
【符号の説明】
【００２６】
１      時計ケース
１０    時計ガラス
１１    文字盤
１２    竜頭
１３    ベゼル
１５    ケース１の開口
１６    ケースリング
２      底
３      帯体
４      押しボタン
４０    バネ
４１    第１のシール
４２    第２のシール
４３    開口
５      押しボタン４のピン
５０    ネジ
５１    ねじ込みスリット
５２    接触面
６      伝達要素
６０    伝達要素の軸
６１    接触面
６２    接触面
７      ムーブメント
７０    ムーブメント７の（バネを付された）プッシャ
７２    バネ
８      スリーブ
【図１】
0003132691.tif 000003
【図２】
0003132691.tif 000004
【図３】
0003132691.tif 000005
【図４】
0003132691.tif 000006
【図５】
0003132691.tif 000007
【手続補正書】
【提出日】平成19年4月16日(2007.4.16)
【手続補正１】
【補正対象書類名】実用新案登録請求の範囲
【補正対象項目名】請求項１６
【補正方法】変更
【補正の内容】
【請求項１６】
押しボタン（４）のヘッド内に配設された開口（４３）とこの開口（４３）に係合する開口（１５）内に設けられたピンとから成る、押しボタン（４）のヘッドを開口（１５）内に安定させるための手段が設けられていることを特徴とする請求項１４又は１５に記載の時計ケース。